(57)【要約】【課題】  弁体の戻り動作に悪影響を与えることなく、流体の流量が少量でも弁体が供給開口側から確実に離間できるようにするとともに、弁体の閉時においても、供給開口に対する弁体の接触を確実に確保できるようにし、弁体の開閉の信頼性の向上を図る。【解決手段】  流体が通過可能な流体空間Ｅを有した本体１０に、流体の供給開口１４及び吐出開口２６を形成し、供給開口１４を開閉する弁体５０、及び、弁体５０を付勢するコイルスプリング５１を収納し、弁体５０に流体の流路を確保して流体空間Ｅを摺動可能なガイド部材６０を設け、ガイド部材６０に形成した嵌挿孔６１に弁体５０を嵌挿して保持し、弁体５０を、その先端部５２がガイド部材６０の端部面６５から嵌挿孔６１の内部に没入する穴部６３を形成する長さに形成し、供給開口１４を形成する部位をガイド部材６０の穴部６３に臨む凸部６４として構成した。【選択図】図４
2019074199.tif 000002
【特許請求の範囲】
【請求項１】
流体が通過可能な円筒内面を有した流体空間を有した本体を備え、該本体に上記流体空間の一端側に該流体空間の中心軸を中心とする供給開口を有した流体の供給口を形成し、上記本体に上記流体空間に連通する吐出開口を有した流体の吐出口を形成し、上記流体空間内に該流体空間の中心軸に沿って移動させられ上記供給開口を閉にし該供給開口から離間して該供給開口を開にする先端部を有した弁体を収納し、該弁体の後端部側の流体空間内に上記弁体を上記供給開口を閉にする方向に常時付勢するコイルスプリングを収納した流体の開閉弁装置において、
上記弁体に、上記供給開口から吐出開口に至る流体の流路を確保して上記流体空間の円筒内面を摺動可能に形成されるガイド部材を設け、
該ガイド部材に、上記流体空間の中心軸に沿う軸線を軸とし上記弁体が嵌挿される嵌挿孔を形成し、該嵌挿孔に上記弁体を嵌挿して保持し、
上記弁体を、該弁体の先端部が上記ガイド部材の流体空間の一端側の端部面から上記嵌挿孔の内部に没入して該嵌挿孔に上記端部面から上記弁体の先端部に至る穴部を形成する長さに形成し、
上記供給開口を形成する部位を、上記流体空間の中心軸を中心として上記弁体側に突出し上記ガイド部材の穴部に臨む凸部として構成したことを特徴とする流体の開閉弁装置。
【請求項２】
上記ガイド部材の外周面に、上記流体空間の一端側に流入口を有し該流体空間の他端側に流出口を有した螺旋溝状の溝流路を形成したことを特徴とする請求項１記載の流体の開閉弁装置。
【請求項３】
上記ガイド部材の中間部外周に周方向に沿い流体が通過可能な外周流路を形成し、上記ガイド部材の上記流体空間の一端側に、上記流体空間の円筒内面に摺接する一端側摺動部を設け、上記ガイド部材の上記流体空間の他端側に、上記流体空間の円筒内面に摺接する他端側摺動部を設け、
上記ガイド部材の上記流体空間の一端側に、該流体空間の一端側に流入口を有し該流入口から上記外周流路に亘り流体が通過可能な一端側流路を形成し、上記ガイド部材の上記流体空間の他端側に、該流体空間の他端側に流出口を有し上記外周流路から上記流出口に亘り流体が通過可能な他端側流路を形成したことを特徴とする請求項１記載の流体の開閉弁装置。
【請求項４】
上記ガイド部材の上記流体空間の他端側において、上記嵌挿孔と弁体との間に流体が介在可能な他端空間を形成し、上記一端側流路を、上記ガイド部材に形成され上記穴部から上記外周流路に至る一端側貫通孔で構成し、上記他端側流路を、上記ガイド部材に形成され上記外周流路から上記他端空間に至る他端側貫通孔で構成したことを特徴とする請求項３記載の流体の開閉弁装置。
【請求項５】
上記ガイド部材の上記外周流路を構成する壁部に該外周流路及び上記嵌挿孔の間を連通する途中連通孔を形成し、上記弁体の上記流体空間の他端側に、該他端側の流体空間と上記外周流路との間を上記途中連通孔を介して連通する連通溝及び／または連通穴を形成し、上記他端側流路を、上記途中連通孔，連通溝及び／または連通穴で構成したことを特徴とする請求項３記載の流体の開閉弁装置。
【請求項６】
上記弁体の後端部側に上記流体空間の中心軸に沿う軸線を軸とした小径部を設けて上記コイルスプリングの一端側が上記嵌挿孔に収納されるようにしたことを特徴とする請求項１乃至５何れかに記載の流体の開閉弁装置。
【請求項７】
上記弁体の先端部を上記供給開口に対峙し内側に凹む凹部を備えて構成し、上記凸部に形成された供給開口の開口縁部を、上記弁体の供給開口の閉塞時に上記凹部内に臨み得る形状に形成したことを特徴とする請求項１乃至６何れかに記載の流体の開閉弁装置。
【請求項８】
上記凹部を、上記流体空間の中心軸に沿う軸線を軸とした円錐状に形成したことを特徴とする請求項７記載の流体の開閉弁装置。
【請求項９】
上記弁体の先端部を、外側に膨出形成され上記弁体の供給開口の閉塞時に該供給開口の開口内縁に当接する略半球状の凸面部を備えて構成したことを特徴とする請求項１乃至６何れかに記載の流体の開閉弁装置。
【請求項１０】
上記供給開口から供給される流体による上記弁体の開動作を許容して、上記弁体を上記供給開口に対して磁力により吸引する吸引手段を設けたことを特徴とする請求項１乃至９何れかに記載の流体の開閉弁装置。
【請求項１１】
上記吸引手段を、上記弁体側に設けられ磁石または磁石に磁着可能な磁着材料からなる第１部材と、上記供給開口側に設けられ上記第１部材を吸引する磁石または磁石に磁着可能な磁着材料からなる第２部材とから構成したことを特徴とする請求項１０記載の流体の開閉弁装置。
【請求項１２】
上記本体に上記凸部を接点部とする導電体からなる一方電極を設け、上記本体に上記流体空間の他端側に露出する露出部を有し上記一方電極に対して絶縁された導電体からなる他方電極を設け、上記弁体を、上記一方電極の接点部に当接して上記供給開口を閉にし該接点部から離間して該供給開口を開にする導電体で構成し、上記コイルスプリングを、その一端が上記弁体に接続され他端が上記他方電極の露出部に接続される導電体で構成し、
上記一方電極，弁体，コイルスプリング及び他方電極から構成される電気回路の上記弁体が閉になったときの接続，開になったときの切断を電気的に検出することにより、流体の流動を検知できるようにしたことを特徴とする請求項１乃至１１何れかに記載の流体の開閉弁装置。
【請求項１３】
上記他方電極を、上記流体空間の中心軸に直交する軸線を軸とし上記流体空間の他端側に露出する露出部を有するとともに端部が上記本体から突出した棒状に形成し、該他方電極の端部に他方電極端子を接続可能にし、上記本体に、上記他方電極を包持する絶縁体からなる包持部材を設け、上記他方電極の端部に該端部とは絶縁された状態で上記一方電極の一方電極端子を接続可能にしたことを特徴とする請求項１２記載の流体の開閉弁装置。
【請求項１４】
上記露出部を、上記コイルスプリングの端部が当接する球状に形成したことを特徴とする請求項１３記載の流体の開閉弁装置。
【請求項１５】
上記弁体の上記流体空間の他端側に、上記流体空間の中心軸を軸とした穴を形成し、
上記他方電極の露出部の中央を、上記流体空間の中心軸を軸とし、上記弁体が上記一方電極の接点部から離間した際に、該弁体の穴をガイドする円錐状に形成したことを特徴とする請求項１２記載の流体の開閉弁装置。
【請求項１６】
上記本体を、上記流体空間を有した主体と、該主体を支持し上記流体空間の中心軸に直交する軸線を軸として相対的に回動可能かつ所要の回動位置でロック可能な支持杆とを備えて構成し、上記吐出口を、上記支持杆に形成したことを特徴とする請求項１２乃至１５何れかに記載の流体の開閉弁装置。
【発明の詳細な説明】
【技術分野】
【０００１】
本発明は、例えば、射出成形機等の産業機械や工作機械等に設けられる潤滑システムにおいて、その管路を流れるグリスやオイル等の潤滑油からなる流体の開閉弁装置に関する。
【背景技術】
【０００２】
従来、この種の流体の開閉弁装置としては、例えば、実開昭５３−１６７４３号公報に掲載され、射出成形機等の産業機械や工作機械等に設けられる潤滑システムの管路を流れるグリスやオイル等の潤滑油からなる流体の流動を検知するためのものが知られている。図６に示すように、この流体の開閉弁装置Ｋａは、流体が通過可能な円筒内面を有した流体空間Ｅを有した絶縁体からなる本体２００を備え、この本体２００に流体空間Ｅの一端に流体空間Ｅの中心軸Ｐを中心とする供給開口２０１を有した流体の供給口２０２を形成し、本体２００の側部に流体空間Ｅに連通する吐出開口２０３を有した流体の吐出口２０４を形成し、供給開口２０１を形成する部材を導電体からなる一方電極２０５として構成し、本体２００に流体空間Ｅの他端側に露出する露出部２０６を有するとともに一方電極２０５に対して絶縁された導電体からなる他方電極２０７を設け、流体空間Ｅ内に流体空間Ｅの中心軸Ｐに沿って移動させられ供給開口２０１の開口縁部２０８に当接して供給開口２０１を閉にする一方、供給開口２０１から離間して供給開口２０１を開にする導電体からなる弁体２１０を収納し、また、流体空間Ｅ内に一端が弁体２１０に接続され他端が他方電極２０７の露出部２０６に接続されて弁体２１０を供給開口２０１を閉にする方向に常時付勢する導電体からなるコイルスプリング２１１を収納して構成されている。また、他方電極２０７には、流体空間Ｅの中心軸Ｐに沿う軸線を軸とし弁体２１０が先端部２１２を突出させて摺動可能に挿入されるとともにコイルスプリング２１１が収納される摺動孔２１３を有した筒状のガイド部材２１４が固着されている。この流体の開閉弁装置Ｋａは、弁体２１０の開閉による所謂チェック弁を構成することになる。
【０００３】
そして、開閉弁装置Ｋａは、一方電極２０５に接続された配線２１５及び他方電極２０７に接続された配線２１６を介して図示外の検知器に接続され、この検知器により、一方電極２０５，弁体２１０，コイルスプリング２１１及び他方電極２０７から構成される電気回路に常時電圧を付与して、この電気回路の弁体２１０が閉になったときの接続，開になったときの切断を電気的に検出することにより、流体の流動を検知できるようにしている。
【先行技術文献】
【特許文献】
【０００４】
【特許文献１】実開昭５３−１６７４３号公報
【発明の概要】
【発明が解決しようとする課題】
【０００５】
ところで、上述した従来の流体の開閉弁装置Ｋａにあっては、例えば、流体としての潤滑油を潤滑箇所に１回当たり例えば０．００５ｃｃ〜１ｃｃ程度と少量吐出する定量バルブを備えた潤滑システムにおいて、この定量バルブから潤滑箇所に至る給油配管に接続して、潤滑油の流動を検知し、潤滑油が確実に供給されているか否かを認知したい場合、潤滑油の流動検知の信頼性が悪いという問題があった。
【０００６】
その理由は、流体が供給口２０２から供給されると、弁体２１０がコイルスプリング２１１の付勢力に抗して移動し、供給開口２０１から離間して開になり、電気回路を切断するが、流体の流量が比較的少量の場合、特に、例えば、０．１ｃｃ以下になる微量の場合、あるいは、流体の流量が比較的多くても、例えば、定量バルブの使用数量が多くなる等の状況下等で流速が遅くなるような場合には、弁体２１０の移動量（リフト量）が極めて小さくなるので、流体が流れても、弁体２１０の先端部２１８が一方電極２０５から全部が離間せずに一部が接触状態を維持し、開（切断）を検知できないことがあるからである。これを解消しようとして、コイルスプリング２１１の付勢力を弱くして対処すると、弁体２１０の戻り動作を悪くしてしまい、逆効果を生じる。
【０００７】
また、弁体２１０の閉時において、弁体２１０はガイド部材２１４から突出しているので、微視的ではあるが、コイルスプリング２１１の基端を支点として揺動し易くなり、そのため、弁体２１０が供給開口２０１に当接しても、接触が不十分になってこれを確実に閉じることができない虞もあり、その分、閉時の信頼性の向上も望まれる。
【０００８】
本発明は上記の問題点に鑑みて為されたもので、弁体の戻り動作に悪影響を与えることなく、流体の流量が少量でも弁体が供給開口側から確実に離間できるようにするとともに、弁体の閉時においても、供給開口に対する弁体の接触を確実に確保できるようにし、弁体の開閉の信頼性の向上を図った開閉弁装置を提供することを目的とする。
【課題を解決するための手段】
【０００９】
このような目的を達成するため、本発明の流体の開閉弁装置は、流体が通過可能な円筒内面を有した流体空間を有した本体を備え、該本体に上記流体空間の一端側に該流体空間の中心軸を中心とする供給開口を有した流体の供給口を形成し、上記本体に上記流体空間に連通する吐出開口を有した流体の吐出口を形成し、上記流体空間内に該流体空間の中心軸に沿って移動させられ上記供給開口を閉にし該供給開口から離間して該供給開口を開にする先端部を有した弁体を収納し、該弁体の後端部側の流体空間内に上記弁体を上記供給開口を閉にする方向に常時付勢するコイルスプリングを収納した流体の開閉弁装置において、
上記弁体に、上記供給開口から吐出開口に至る流体の流路を確保して上記流体空間の円筒内面を摺動可能に形成されるガイド部材を設け、
該ガイド部材に、上記流体空間の中心軸に沿う軸線を軸とし上記弁体が嵌挿される嵌挿孔を形成し、該嵌挿孔に上記弁体を嵌挿して保持し、
上記弁体を、該弁体の先端部が上記ガイド部材の流体空間Ｅの一端側の端部面から上記嵌挿孔の内部に没入して該嵌挿孔に上記端部面から上記弁体の先端部に至る穴部を形成する長さに形成し、
上記供給開口を形成する部位を、上記流体空間の中心軸を中心として弁体側に突出し上記ガイド部材の穴部に臨む凸部として構成している。
【００１０】
これによれば、流体が供給口から供給される際には、弁体がコイルスプリングの付勢力に抗して流体に押されて供給開口を開にし、更に、弁体の先端部及び弁体に付設されたガイド部材の穴部の内面に流体が作用し、ガイド部材は流体空間の円筒内面を摺動するので、弁体及びガイド部材が一体に押し上げられていく。流体は供給開口からガイド部材の穴部内に流入してから流体空間に流入していく。この場合、供給開口から流入する流体がガイド部材の穴部の内面によって跳ね返り、外側に逃げにくくなって流体を受けやすくすることができることから、弁体が浮き上がり易くなり、そのため、従来に比較して、弁体を供給開口から確実に離間させることができるようになる。例えば、流体の流量が比較的少量の場合、特に、例えば、０．１ｃｃ以下になる微量の場合、あるいは、流体の流量が比較的多くても、流速が遅くなるような場合には、弁体の移動量（リフト量）が極めて小さくなるが、ガイド部材の浮き上がりにより確実に弁体が押し上げられるので、弁体を供給開口側から確実に離間させることができ、信頼性を向上させることができる。また、ガイド部材は、供給開口から吐出開口に至る流体の流路を確保して流体空間の円筒内面を摺動するので、流体を吐出開口から吐出口に導出させることができる。
【００１１】
一方、流体の供給口からの供給が停止されると、ガイド部材には供給開口から吐出開口に至る流体の流路が確保されているので、コイルスプリングの付勢力により弁体及びガイド部材は流体空間の一端側に移動させられ、弁体は供給開口を閉にする。この場合、微視的ではあるが、コイルスプリングの基端を支点としてガイド部材が揺動しようとするが、弁体はガイド部材の穴部に没入しているので、ガイド部材の端部面に比較して、弁体の先端部の揺動幅が小さくなり、そのため、弁体の先端部が供給開口に対して確実に接触してこれを確実に閉じることができ、それだけ、閉時の信頼性も向上させることができる。
【００１２】
そして、必要に応じ、上記ガイド部材の外周面に、上記流体空間の一端側に流入口を有し該流体空間の他端側に流出口を有した螺旋溝状の溝流路を形成した構成としている。これにより、弁体が流体に押されて供給開口が開になると、流体はガイド部材の螺旋溝状の溝流路を通り他端空間に流出していく。この場合、溝流路は、螺旋状に形成されているので、ガイド部材の外周面が流体空間の円筒内面に安定して接触し、そのため、ガイド部材のがたつきが抑制され、それだけ、弁体が浮き上がり易くなり、確実に弁体を供給開口から離間させることができるようになり、この点でも、信頼性を向上させることができる。
【００１３】
また、必要に応じ、上記ガイド部材の中間部外周に周方向に沿い流体が通過可能な外周流路を形成し、上記ガイド部材の上記流体空間の一端側に、上記流体空間の円筒内面に摺接する一端側摺動部を設け、上記ガイド部材の上記流体空間の他端側に、上記流体空間の円筒内面に摺接する他端側摺動部を設け、
上記ガイド部材の上記流体空間の一端側に、該流体空間の一端側に流入口を有し該流入口から上記外周流路に亘り流体が通過可能な一端側流路を形成し、上記ガイド部材の上記流体空間の他端側に、該流体空間の他端側に流出口を有し上記外周流路から上記流出口に亘り流体が通過可能な他端側流路を形成した構成としている。
【００１４】
これにより、弁体が流体に押されて供給開口が開になると、流体は供給開口から一端側流路を通り外周流路に至るとともに、更に、外周流路から他端側流路を通り吐出開口側に流出していく。この場合、外周流路は、ガイド部材の中間部外周に周方向に沿って設けられているので、流体によって均等に押し上げられることになり、それだけ、弁体が浮き上がり易くなり、確実に弁体を供給開口から離間させることができるようになる。また、この場合、外周流路を挟んで、ガイド部材の一端側に一端側摺動部があり、ガイド部材の他端側に他端側摺動部があるので、ガイド部材の両端が流体空間の円筒内面に安定して接触することになり、そのため、ガイド部材のがたつきが抑制され、それだけ、弁体が浮き上がり易くなり、確実に弁体を供給開口から離間させることができるようになり、この点でも、信頼性を向上させることができる。この場合、一端側摺動部及び他端側摺動部の全周が円筒内面に接触するように形成すれば、より一層がたつきを防止することができる。
【００１５】
この場合、上記ガイド部材の上記流体空間の他端側において、上記嵌挿孔と弁体との間に流体が介在可能な他端空間を形成し、上記一端側流路を、上記ガイド部材に形成され上記穴部から上記外周流路に至る一端側貫通孔で構成し、上記他端側流路を、上記ガイド部材に形成され上記外周流路から上記他端空間に至る他端側貫通孔で構成したことが有効である。
これにより、弁体が流体に押されて供給開口が開になると、流体は供給開口からガイド部材の穴部内に流入してから、一端側貫通孔を通り外周流路に至るとともに、更に、外周流路から他端側貫通孔を通り他端空間に流出していく。この場合、穴部には一端側貫通孔の開口のある分、上記の溝流路にして穴部全部を受け面にする場合に比較して、受け面の面積は少なくなるが、それでも、供給開口から流入する流体は、一端側貫通孔の開口以外の穴部の内面によって跳ね返ることから、それだけ、弁体が浮き上がり易くなる。反面、穴部の受け面の受け性能は多少下がるが、一端側貫通孔及び他端側貫通孔の開口断面を比較的大きくすることができることから、流体を流通させやすくすることができ、弁体の戻り時の移動を円滑にすることができるという効果がある。
【００１６】
また、この場合、上記ガイド部材の上記外周流路を構成する壁部に該外周流路及び上記嵌挿孔の間を連通する途中連通孔を形成し、上記弁体の上記流体空間の他端側に、該他端側の流体空間と上記外周流路との間を上記途中連通孔を介して連通する連通溝及び／または連通穴を形成し、上記他端側流路を、上記途中連通孔，連通溝及び／または連通穴で構成したことが有効である。
これにより、他端側流路を、途中連通孔，連通溝及び／または連通穴で構成したので、この途中連通孔，連通溝及び／または連通穴は、比較的その開口断面を大きく形成することができることから、流体を流通させやすくすることができ、弁体の戻り時の移動を円滑にすることができるという効果がある。
【００１７】
また、必要に応じ、上記弁体の後端部側に上記流体空間の中心軸に沿う軸線を軸とした小径部を設けて上記コイルスプリングの一端側が上記嵌挿孔に収納されるようにした構成としている。嵌挿孔にはコイルスプリングの一端側が収納されるので、支持が安定し、この点でも、弁体及びガイド部材の移動を円滑に行わせることができる。
【００１８】
更に、必要に応じ、上記弁体の先端部を上記供給開口に対峙し内側に凹む凹部を備えて構成し、上記凸部に形成された供給開口の開口縁部を、上記弁体の供給開口の閉塞時に上記凹部内に臨み得る形状に形成した構成としている。
この場合、上記凹部を、上記流体空間の中心軸に沿う軸線を軸とした円錐状に形成することができる。
これにより、弁体の先端部に内側に凹む凹部を形成したので、供給開口から流入する流体が凹部によって跳ね返り、外側に逃げにくくなって流体を受けやすくすることができることから、より一層、弁体が浮き上がり易くなり、そのため、弁体を供給開口から確実に離間させることができ、信頼性を向上させることができる。
更にまた、必要に応じ、上記弁体の先端部を、外側に膨出形成され上記弁体の供給開口の閉塞時に該供給開口の開口内縁に当接する略半球状の凸面部を備えて構成している。上記の凹部に比較して流体の受け性能は多少下がるが、シール性を向上させることができる。
【００１９】
そしてまた、上記供給開口から供給される流体による上記弁体の開動作を許容して、上記弁体を上記供給開口に対して磁力により吸引する吸引手段を設けた構成としている。
これにより、流体が供給口から供給される際には、弁体がコイルスプリングの付勢力に抗して流体に押されて供給開口を開にし、更に、弁体及びガイド部材が一体に押し上げられていく。この場合、吸引手段の磁力の吸引においては、吸引力は距離の２乗に反比例することから、弁体が供給開口から離間する方向への移動時においては、吸引力が弱くなるので、弁体が浮き上がり易くなり、そのため、確実に弁体を供給開口から離間させることができるようになる。
【００２０】
一方、流体の供給口からの供給が停止されると、コイルスプリングの付勢力により弁体及びガイド部材は流体空間の一端側に移動させられ、弁体は供給開口を閉にする。この場合、コイルスプリングでは、たわみ量と荷重が比例関係あることから、弁体の開位置から閉位置への戻り特性や、供給開口に対する押圧力に限界があるが、吸引手段の磁力の吸引においては、吸引力は距離の２乗に反比例することから、弁体の開位置から閉位置への戻り性能を向上させることができるとともに、供給開口に対する押圧力を増して接触を確実に確保することができる。即ち、コイルスプリングだけの場合、内圧の関係も有り、そっとかぶさるように戻るので接点部を確実に閉じにくいことがあるが、磁力による吸引時は距離の２乗に反比例して吸引力が増加するため、加速度が生じ、接点部上面の絶縁膜（油膜）を破壊し、接点部の洗浄効果も生じ、そのため、接点部を確実に閉じることができる。吸引手段の吸引力は、コイルスプリングとのバランスを考慮し、永久磁石の材質、サイズ、弁体の透磁率、弁体と永久磁石の距離等で調整する。
【００２１】
この構成においては、上記吸引手段を、上記弁体側に設けられ磁石または磁石に磁着可能な磁着材料からなる第１部材と、上記供給開口側に設けられ上記第１部材を吸引する磁石または磁石に磁着可能な磁着材料からなる第２部材とから構成することができる。即ち、弁体側に磁石を設けた場合には、供給開口側には、磁石及び／または磁着材料を設ける。弁体側に磁着材料を設けた場合には、供給開口側には、磁石を設ける。磁石は、永久磁石，電磁石何れでも良いが、コンパクトにすることができるので永久磁石を用いるのが望ましい。磁力を確実に付与して弁体の吸引を行うことができる。
【００２２】
そして、本発明においては、上記本体に上記凸部を接点部とする導電体からなる一方電極を設け、上記本体に上記流体空間の他端側に露出する露出部を有し上記一方電極に対して絶縁された導電体からなる他方電極を設け、上記弁体を、上記一方電極の接点部に当接して上記供給開口を閉にし該接点部から離間して該供給開口を開にする導電体で構成し、上記コイルスプリングを、その一端が上記弁体に接続され他端が上記他方電極の露出部に接続される導電体で構成し、
上記一方電極，弁体，コイルスプリング及び他方電極から構成される電気回路の上記弁体が閉になったときの接続，開になったときの切断を電気的に検出することにより、流体の流動を検知できるようにすることができる。
【００２３】
この開閉弁装置を用いるときは、流体が流れる管路に供給口と吐出口を接続するとともに、検知器からの配線を一方電極及び他方電極に接続し、この検知器により、一方電極，弁体，コイルスプリング及び他方電極から構成される電気回路に常時電圧を付与する等して、この電気回路の弁体が閉になったときの接続，開になったときの切断を電気的に検出することができる。この場合、上述したように、弁体及びガイド部材が浮き上がり易くなり、そのため、確実に弁体を供給開口から離間させることができるようになるので、弁体を供給開口のある一方電極から確実に離間させることができ、このため、従来のように、流体が流れても、弁体が一方電極から全部が離間せずに一部が接触状態を維持し、開（切断）を検知できない事態を防止することができ、電気的検知において信頼性を向上させることができる。また、弁体の閉時においても、微視的ではあるが、コイルスプリングの基端を支点としてガイド部材が揺動しようとするが、弁体はガイド部材の穴部に没入しているので、ガイド部材の端部面に比較して、弁体の先端部の揺動幅が小さくなり、そのため、弁体の先端部が供給開口に対して確実に接触してこれを確実に閉じることができ、それだけ、閉時の信頼性も向上させることができる。
【００２４】
また、必要に応じ、上記他方電極を、上記流体空間の中心軸に直交する軸線を軸とし上記流体空間の他端側に露出する露出部を有するとともに端部が上記本体から突出した棒状に形成し、該他方電極の端部に他方電極端子を接続可能にし、上記本体に、上記他方電極を包持する絶縁体からなる包持部材を設け、上記他方電極の端部に該端部とは絶縁された状態で上記一方電極の一方電極端子を接続可能にした構成としている。
これにより、一方電極端子及び他方電極端子を集約して本体の側部に設けることができ、それだけ、装置をコンパクトにすることができる。また、この一方電極端子及び他方電極端子を絶縁体の樹脂などでモールドする等して保護し易くなる。
【００２５】
この構成においては、上記露出部を、上記コイルスプリングの端部が当接する球状に形成したことが有効である。他方電極は流体空間を横切って配置されることから、この他方電極を本体に固定する際に、他方電極が流体空間の中心軸に直交する軸線を軸として回動して、スプリングに対する接触部が変化するが、球状の露出部にスプリングを当接させるので、他方電極の回動があっても常に球面にコイルスプリングを接触させることができ、他方電極の位置調整が不要になり組付けが容易になるとともに、接続の安定を図ることができる。
【００２６】
また、必要に応じ、上記弁体の上記流体空間の他端側に、上記流体空間の中心軸を軸とした穴を形成し、上記他方電極の露出部の中央を、上記流体空間の中心軸を軸とし、上記弁体が上記一方電極の接点部から離間した際に、該弁体の穴をガイドする円錐状に形成したことが有効である。
これにより、弁体が一方電極の接点部から離間した際に、弁体の穴が円錐状の露出部に係合してガイドされ、仮にガイド部材に多少の傾きが生じようとしても、求心的に姿勢が矯正されるので、傾くことがなく、そのため、ガイド部材及び弁体の進退動を円滑にすることができる。また、露出部を円錐状にしたので、流体を流れ易くする効果も奏する。その結果、特に、高粘度の流体に有効になる。
【００２７】
また、必要に応じ、上記本体を、上記流体空間を有した主体と、該主体を支持し上記流体空間の中心軸に直交する軸線を軸として相対的に回動可能かつ所要の回動位置でロック可能な支持杆とを備えて構成し、上記吐出口を、上記支持杆に形成した構成としている。
これにより、支持杆は主体に対して相対的に角度調整可能になる。吐出口のある支持杆を取付ける際は、支持杆のロックを解除してこれを取付け、その後、ロックすることができる。この場合、支持杆を回動させても、主体は一定位置に位置させておくことができるので、スペースの狭いところの取付けの自由度が増し、取付け性を向上させることができる。
【発明の効果】
【００２８】
以上説明したように本発明の流体の開閉弁装置によれば、流体が供給口から供給される際には、供給開口から流入する流体を穴部によって受けやすくすることができ、それだけ、弁体を浮き上がり易くすることができ、そのため、弁体の戻り動作に影響を与えることなく、確実に弁体を供給開口から離間させることができるようになる。例えば、流体の流量が比較的少量の場合、特に、例えば、０．１ｃｃ以下になる微量の場合、あるいは、流体の流量が比較的多くても、流速が遅くなるような場合には、弁体の移動量（リフト量）が極めて小さくなるが、確実に弁体が押し上げられるので、弁体を供給開口から確実に離間させることができ、開時の信頼性を向上させることができる。一方、弁体が供給開口を閉にする際には、微視的ではあるが、コイルスプリングの基端を支点としてガイド部材が揺動しようとするが、弁体はガイド部材の穴部に没入しているので、ガイド部材の端部面に比較して、弁体の先端部の揺動幅が小さくなり、そのため、弁体の先端部が供給開口に対して確実に接触してこれを確実に閉じることができ、それだけ、閉時の信頼性も向上させることができる。
【図面の簡単な説明】
【００２９】
【図１】本発明の実施の形態に係る流体の開閉弁装置が用いられる潤滑システムの一例を示す図である。
【図２】本発明の実施の形態に係る流体の開閉弁装置を示す図であり、（ａ）は集約した電極を露出させた状態で示す斜視図、（ｂ）は集約した電極を覆った状態で示す斜視図である。
【図３】本発明の実施の形態に係る流体の開閉弁装置を示す断面図である。
【図４】本発明の実施の形態に係る流体の開閉弁装置においてその作動状態を示す拡大断面図である。
【図５】本発明の実施の形態に係る流体の開閉弁装置においてその本体内部の部品を示す分解斜視図である。
【図６】本発明の別の実施の形態に係り、別のガイド部材を用いた流体の開閉弁装置を示す拡大断面図である。
【図７】本発明の別の実施の形態に係る別のガイド部材を示す斜視図である。
【図８】本発明の別の実施の形態に係る別のガイド部材を示し、（ａ）は正面図、（ｂ）は側面図である。
【図９】本発明の別の実施の形態に係り、弁体の変形例を示す流体の開閉弁装置の拡大断面図である。
【図１０】本発明のまた別の実施の形態に係り、また別のガイド部材及び弁体を用いた流体の開閉弁装置を示す拡大断面図である。
【図１１】本発明のまた別の実施の形態に係る流体の開閉弁装置において、そのガイド部材及び弁体を示し、（ａ）は斜視図、（ｂ）は断面図である。
【図１２】本発明のまた別の実施の形態に係り、弁体の変形例を示す流体の開閉弁装置の拡大断面図である。
【図１３】本発明の更にまた別の実施の形態に係り、更にまた別のガイド部材及び弁体を用いた流体の開閉弁装置を示す拡大断面図である。
【図１４】本発明の更にまた別の実施の形態に係る流体の開閉弁装置においてその本体内部の部品を示す分解斜視図である。
【図１５】本発明の更にまた別の実施の形態に係り、弁体の変形例を示す流体の開閉弁装置の拡大断面図である。
【図１６】従来の流体の開閉弁装置の一例を示す断面図である。
【発明を実施するための形態】
【００３０】
以下添付図面に基づいて本発明の実施の形態に係る流体の開閉弁装置について説明する。図１に示すように、実施の形態に係る流体の開閉弁装置Ｋは、射出成形機等の産業機械や工作機械等に設けられる潤滑システムＳに用いられ、この潤滑システムＳの管路を流れるグリスやオイル等の潤滑油からなる流体の流動を検知するものである。
【００３１】
潤滑システムＳは、例えば、グリスやオイル等の潤滑油からなる流体を送給する潤滑ポンプ装置１に、流体の加圧及び脱圧により作動させられる定量バルブ２を接続し、この定量バルブ２から潤滑箇所３に流体を間欠的に供給する。定量バルブ２の１ショット当たりの流量は、例えば、０．００５ｃｃ〜１ｃｃの範囲で、数種用意され、潤滑箇所に合わせてこれらから１若しくは複数種類選択されて配管される。実施の形態に係る流体の開閉弁装置Ｋは、定量バルブ２から潤滑箇所３の間の給油管路４に介装され、流体の流動を検知し、検知器５により流体が供給されているか否かを認知できるようにしている。実施の形態では、開閉弁装置Ｋは、潤滑箇所３を構成する構成部材８（図３）に直接取付けられる。
【００３２】
本発明の実施の形態に係る流体の開閉弁装置Ｋは、図２乃至図５に示すように、流体が通過可能な円筒内面１１が形成された流体空間Ｅを有した金属等の導電体からなる本体１０を備えている。本体１０は、流体空間Ｅが形成された主体１０ａと、主体１０ａを構成部材８に支持する支持杆１０ｂとからなる。主体１０ａの一端側には、流体空間Ｅの一端Ｅａを構成する環状の端部部材１２が嵌着されており、この端部部材１２には、流体空間Ｅの中心軸Ｐと同軸の金属等の導電体からなるブッシュ１３が嵌着されている。ブッシュ１３には、流体空間Ｅの中心軸Ｐを中心とする供給開口１４を有した流体の供給口１５が形成されている。供給開口１４側の端部は、先細りに傾斜形成された供給開口１４の開口縁部１４ａを構成し、流体空間Ｅの中心軸Ｐを中心として後述の弁体５０側に突出形成され、後述のガイド部材６０の穴部６３に臨む凸部６４として構成されている。
【００３３】
本体１０の主体１０ａの一端側の内側には、雌ネジ１６が形成されており、この雌ネジ１６に給油管路４を接続するための接続部材１７が螺合して設けられている。端部部材１２と接続部材１７との間には、コイン型のフィルタ１８が介装されている。
【００３４】
支持杆１０ｂは、流体空間Ｅの中心軸Ｐに直交する軸線Ｑを軸として相対的に回動可能かつ所要の回動位置でロック可能に主体１０ａの他端側に貫通して設けられている。主体１０ａには、支持杆１０ｂが挿入される貫通孔２０が形成されている、支持杆１０ｂの主体１０ａから突出する一端部は、貫通孔２０より大径の大径部２１とこの大径部２１より外側に形成され構成部材８にネジ込まれる雄ネジ２２とを備えて構成されている。一方、支持杆１０ｂの主体１０ａから突出する他端部にはナット２３が螺合する雄ネジ２４が形成され、このナット２３を緩めることにより支持杆１０ｂは主体１０ａに対して相対的に回動可能になり、ナット２３を締め付けることにより支持杆１０ｂは主体１０ａに対してロックされる。符号２５は支持杆１０ｂと貫通孔２０との間に介装されたシール用のＯ−リングである。
【００３５】
また、支持杆１０ｂには、流体空間Ｅに連通する吐出開口２６を有した流体の吐出口２７が形成されている。吐出口２７は、軸線Ｑを軸として支持杆１０ｂの一端部側に形成されており、吐出開口２６は支持杆１０ｂの流体空間Ｅに臨む部位に２箇所形成され、吐出口２７の出口開口２８は支持杆１０ｂの一端面に形成されている。
【００３６】
更に、支持杆１０ｂには、潤滑箇所３の温度を検知する細長状の熱電対３０を吐出口２７に挿通させて取付ける熱電対取付部３１が設けられている。支持杆１０ｂの他端側はナット２３が螺合する雄ネジ２４が形成された状態で延設されており、熱電対取付部３１は、この延設部３２を含む支持杆１０ｂの他端側に形成され、吐出口２７と同軸の軸線Ｑを軸とし、熱電対３０が挿通され開口がテーパ状に切除された挿通孔３３を備えている。そして、熱電対取付部３１は、熱電対３０が挿通される通孔３４ａを有するとともに先端部に挿通孔３３の開口に接合するテーパ状の外側面を有したスリーブ３４と、熱電対３０が挿通される通孔３５を有するとともにスリーブ３４を包持して雄ネジ２４に螺合する雌ネジ３６を有し雄ネジ２４に雌ネジ３６をねじ込むことによりスリーブ３４の先端部を押し潰して熱電対３０を支持杆１０ｂに固定するロックナット３７とを備えて構成されている。本装置は、熱電対３０を取り付けて潤滑箇所３の温度を測定することができる。
【００３７】
また、本体１０の主体１０ａは、流体空間Ｅの一端Ｅａ側に露出する接点部Ｔを有した導電体からなる一方電極Ｄａとして構成されている。また、主体１０ａには、一方電極Ｄａに対して絶縁された導電体からなる他方電極Ｄｂが設けられている。他方電極Ｄｂは、流体空間Ｅの中心軸Ｐに直交する軸線Ｒを軸とし流体空間Ｅに露出する球状の露出部４０を有するとともに一端部及び他端部が主体１０ａから突出した棒状に形成されている。露出部４０には、後述のコイルスプリング５１の端部が当接する。主体１０ａには、他方電極Ｄｂが挿通される挿通孔４１が形成されており、他方電極Ｄｂの挿通孔４１に対応する部位には、他方電極Ｄｂを包持する絶縁体からなる包持部材４２が設けられている。包持部材４２は、挿通孔４１に液密に嵌着される嵌着部４２ａと嵌着部４２ａより大径で主体１０ａの外側に位置させられる頭部４２ｂとから構成されている。
【００３８】
他方電極Ｄｂの一端部であって包持部材４２の頭部４２ｂの外側は、止めリング４３が係着されて抜け止めされている。一方、他方電極Ｄｂの他端部には包持部材４２の頭部４２ｂの外側からナット４４が螺合する雄ネジ４５が形成され、このナット４４を締め付けることにより他方電極Ｄｂは主体１０ａに対して固定される。他方電極Ｄｂの他端部にはナット４４と包持部材４２の頭部４２ｂとの間に挾持される他方電極端子４６が接続される。また、他方電極Ｄｂの他端部には、この他方電極端子４６とは絶縁された状態で一方電極Ｄａの一方電極端子４７が設けられる。一方電極端子４７は、包持部材４２の頭部４２ｂと主体１０ａとの間に挾持され、主体１０ａに接触している。符号４８は他方電極Ｄｂの一端部を覆うカバー、符号４９は他方電極Ｄｂの他端部の雄ネジ４５，ナット４４，一方電極端子４７及び他方電極端子４６を覆うカバーであり、内部に樹脂製モールドを注入可能に形成されている。
【００３９】
また、流体空間Ｅ内には、流体空間Ｅの中心軸Ｐに沿って移動させられ一方電極Ｄａの接点部Ｔに当接して供給開口１４を閉にし、接点部Ｔから離間して供給開口１４を開にする金属等の導電体からなる弁体５０と、一端が弁体５０に接続され他端が他方電極Ｄｂの球状の露出部４０に接続されて弁体５０を供給開口１４を閉にする方向に常時付勢する金属等の導電体からなるコイルスプリング５１とが収納されている。一方電極Ｄａの接点部Ｔは、供給開口１４の開口縁及び／またはこの開口縁の周囲部で構成される。これにより、開閉弁装置Ｋは、一方電極Ｄａ，弁体５０，コイルスプリング５１及び他方電極Ｄｂから構成される電気回路において、弁体５０が閉になったときの接続，開になったときの切断を電気的に検出することにより、流体の流動を検知できるようにしている。
【００４０】
弁体５０は、接点部Ｔに当接して供給開口１４を閉塞可能な先端部５２を有し、流体空間Ｅの中心軸Ｐに沿う軸線を軸とした棒状に形成されている。弁体５０は、後述のガイド部材６０の嵌挿孔６１に嵌着される中間の大径部５３と、コイルスプリング５１内に挿入されるように大径部５３より細く形成された後端部側の小径部５４とから構成されている。大径部５３と小径部５４との間の段差部５５に、コイルスプリング５１の一端が支承される。また、弁体５０の先端部５２は、供給開口１４の開口縁部１４ａに対峙し内側に凹む凹部５６を備えて構成されている。凹部５６は、流体空間Ｅの中心軸Ｐに沿う軸線を軸とした円錐状に形成されている。一方、ブッシュ１３で形成された供給開口１４の開口縁部１４ａは、弁体５０の供給開口１４の閉塞時に凹部５６内に臨み得るように、傘型に形成されている。
【００４１】
また、本開閉弁装置Ｋにおいては、弁体５０に付設されて流体空間Ｅ内に設けられる樹脂などの絶縁体からなるガイド部材６０が備えられている。このガイド部材６０は、供給開口１４から吐出開口２６に至る流体の流路を確保して流体空間Ｅの円筒内面１１を摺動可能に形成されている。ガイド部材６０には、流体空間Ｅの中心軸Ｐに沿う軸線を軸とし、弁体５０が嵌挿される嵌挿孔６１が貫通形成されている。ガイド部材６０の外周面には、流体空間Ｅの一端Ｅａ側に流入口６２ａを有し、流体空間Ｅの他端Ｅｂ側に流出口６２ｂを有した螺旋溝状の溝流路６２が形成されている。
【００４２】
また、弁体５０は、弁体５０の先端部５２がガイド部材６０の流体空間Ｅの一端Ｅａ側の端部面６５から嵌挿孔６１の内部に没入して嵌挿孔６１に端部面６５から弁体５０の先端部５２に至る穴部６３を形成する長さに形成されている。即ち、ガイド部材６０には、嵌挿孔６１で構成され、ガイド部材６０の流体空間Ｅの一端Ｅａ側の端部面６５から弁体５０の先端部５２に至る穴部６３が形成されている。そして、供給開口１４を形成する部位は、流体空間Ｅの中心軸Ｐを中心として弁体５０側に突出し、ガイド部材６０の穴部６３に挿入される大きさでこの穴部６３に臨む凸部６４として構成されている。
【００４３】
そしてまた、本開閉弁装置Ｋにおいては、供給開口１４から供給される流体による弁体５０の一方電極Ｄａの接点部Ｔに対する開動作を許容して、弁体５０を一方電極Ｄａの接点部Ｔに対して磁力により吸引する吸引手段７０が設けられている。吸引手段７０は、弁体５０側に設けられ磁石または磁石に磁着可能な磁着材料からなる第１部材７１と、一方電極Ｄａ側に設けられ第１部材７１を吸引する磁石または磁石に磁着可能な磁着材料からなる第２部材７２とから構成されている。実施の形態では、第１部材７１を弁体５０で構成し、第２部材７２を本体１０に付設している。具体的には、弁体５０（第１部材７１）は、鉄に金メッキを施した磁着材料で構成され、第２部材７２は永久磁石７３で構成されて、ブッシュ１３の頭部１３ａに付設されている。永久磁石７３（第２部材７２）は、ブッシュ１３の入口開口１３ｂに連通する通孔７４を有したリング状に形成されている。吸引手段７０の吸引力は、導電性コイルスプリング５１とのバランスを考慮し、永久磁石７３の材質、サイズ、弁体５０の透磁率、弁体５０と永久磁石７３の距離で調整する。
【００４４】
従って、この実施の形態に係る流体の開閉弁装置Ｋにおいては、図１に示すように、例えば、予め、一方電極Ｄａ及び他方電極Ｄｂに配線６，７を接続しておく。具体的には、一方電極端子４７及び他方電極端子４６に予め配線６，７を接続しておき、この配線６，７が接続された一方電極端子４７及び他方電極端子４６を包持部材４２を介して他方電極Ｄｂに装着し、ナット４４を雄ネジ４５に螺合して締め付ける。これにより、他方電極Ｄｂは本体１０に対して固定される。この場合、他方電極Ｄｂは流体空間Ｅを横切って配置されることから、他方電極Ｄｂが流体空間Ｅの中心軸Ｐに直交する軸線Ｒを軸として回動して、コイルスプリング５１に対する接触部が変化するが、球状の露出部４０にコイルスプリング５１を当接させるので、他方電極Ｄｂの回動があっても常に球面にコイルスプリング５１を接触させることができ、他方電極Ｄｂの位置調整が不要になり組付けが容易になるとともに、接続の安定を図ることができる。
【００４５】
その後、他方電極Ｄｂの他端部の雄ネジ４５，ナット４４，一方電極端子４７及び他方電極端子４６をカバー４９で覆い、必要に応じ内部に絶縁体の樹脂製モールドを注入する。この場合、一方電極端子４７及び他方電極端子４６を集約して本体１０の側部に設けることができ、それだけ、装置をコンパクトにすることができる。また、この一方電極端子４７及び他方電極端子４６を絶縁体の樹脂でモールドすることができ、保護し易くなる。
【００４６】
そして、この実施の形態に係る流体の開閉弁装置Ｋを取り付けるときは、図３に示すように、吐出口２７のある支持杆１０ｂの雄ネジ部２２を潤滑箇所３を構成する構成部材８にネジ込む。この際は、ナット２３を緩めて支持杆１０ｂのロックを解除してこれを取付け、その後、ナット２３を締め付けてロックする。この場合、支持杆１０ｂは主体１０ａに対して相対的に角度調整可能になる。また、支持杆１０ｂを回動させても、主体１０ａは一定位置に位置させておくことができるので、スペースの狭いところの取付けの自由度が増し、取付け性を向上させることができる。その後、熱電対取付部３１に熱電対３０を取付ける。この場合、ロックナット３７の通孔３５，スリーブ３４の通孔３４ａ及び支持杆１０ｂの挿通孔３３に、熱電対３０を挿通し、ロックナット３７を雄ネジ２４に螺合して締めつける。これにより、スリーブ３４の先端部が押し潰されて熱電対３０は支持杆１０ｂに固定される。この熱電対３０により潤滑箇所３の温度を測定することができる。
【００４７】
そして、実施の形態に係る開閉弁装置Ｋを使用するときは、図１及び図３に示すように、検知器５により、一方電極Ｄａ，弁体５０，コイルスプリング５１及び他方電極Ｄｂから構成される電気回路に常時電圧を付与する等して、この電気回路の弁体５０が閉（図３）になったときの接続，開になったとき（図４）の切断を電気的に検出する。
【００４８】
詳しくは、図３に示す弁体５０の閉位置において、流体が供給口１５から供給されると、図４に示すように、弁体５０がコイルスプリング５１の付勢力に抗して流体に押されて供給開口１４を開にし、更に、弁体５０の先端部５２及び弁体５０に付設されたガイド部材６０の穴部６３の内面に流体が作用し、ガイド部材６０は流体空間Ｅの円筒内面１１を摺動するので、弁体５０及びガイド部材６０が一体に押し上げられていく。流体は供給開口１４からガイド部材６０の穴部６３内に流入してから溝流路６２を通って吐出開口２６に至り流出していく。この場合、供給開口１４から流入する流体がガイド部材６０の穴部６３の内面によって跳ね返り、外側に逃げにくくなって流体を受けやすくすることができることから、弁体５０が浮き上がり易くなり、そのため、弁体５０を供給開口１４から確実に離間させることができるようになる。例えば、流体の流量が比較的少量の場合、特に、例えば、０．１ｃｃ以下になる微量の場合、あるいは、流体の流量が比較的多くても、流速が遅くなるような場合には、弁体５０の移動量（リフト量）が極めて小さくなるが、ガイド部材６０の浮き上がりにより確実に弁体５０が押し上げられるので、弁体５０を供給開口１４側から確実に離間させることができ、信頼性を向上させることができる。
【００４９】
また、ガイド部材６０は、供給開口１４から吐出開口２６に至る流体の流路を確保して流体空間Ｅの円筒内面１１を摺動するので、流体を吐出開口２６から吐出口２７に導出させることができる。特に、ガイド部材６０の螺旋溝状の溝流路６２に沿って流体が通過するので、ガイド部材６０の外周面が流体空間Ｅの円筒内面１１に安定して接触し、そのため、ガイド部材６０のがたつきが抑制され、それだけ、弁体５０が浮き上がり易くなり、確実に弁体５０を供給開口１４から離間させることができるようになり、この点でも、信頼性を向上させることができる。このため、従来のように、流体が流れても、弁体５０が一方電極Ｄａから全部が離間せずに一部が接触状態を維持し、開（切断）を検知できない事態を防止することができ、検知の信頼性を向上させることができる。
【００５０】
また、弁体５０の先端部５２に内側に凹む円錐状の凹部５６を形成したので、流体が供給口１５から供給されると、供給開口１４から流入する流体が凹部５６によって跳ね返り、外側に逃げにくくなって流体を受けやすくすることができ、より一層、弁体５０が浮き上がり易くなり、そのため、弁体５０が供給開口１４のある一方電極Ｄａの接点部Ｔから確実に離間させることができる。更に、コイルスプリング５１の一端側が嵌挿孔６１に収納されるので、支持が安定し、この点でも、弁体５０及びガイド部材６０の移動を円滑に行わせることができる。
【００５１】
更に、吸引手段７０を設けたので、吸引手段７０の磁力の吸引においては、吸引力は距離の２乗に反比例することから、弁体５０の閉位置から開位置への移動時においては、吸引力が弱くなるので、弁体５０が浮き上がり易くなり、そのため、確実に弁体５０を供給開口１４から離間させることができるようになる。
【００５２】
次に、流体の供給口１５からの供給が停止されると、ガイド部材６０には供給開口１４から吐出開口２６に至る流体の流路が確保されているので、コイルスプリング５１の付勢力により弁体５０及びガイド部材６０は流体空間Ｅの一端Ｅａ側に移動させられ、弁体５０は供給開口１４を閉にする。この場合、微視的ではあるが、コイルスプリング５１の基端を支点としてガイド部材６０が揺動しようとするが、弁体５０はガイド部材６０の穴部６３に没入しているので、ガイド部材６０の端部面６５に比較して、弁体５０の先端部５２の揺動幅が小さくなり、そのため、弁体５０の先端部５２が供給開口１４に対して確実に接触してこれを確実に閉じることができ、それだけ、閉時の信頼性も向上させることができる。
【００５３】
また、この場合、コイルスプリング５１では、たわみ量と荷重が比例関係あることから、弁体５０の開位置から閉位置への戻り特性や、供給開口１４に対する押圧力に限界があるが、吸引手段７０の磁力による吸引があるので、吸引力は距離の２乗に反比例することから、弁体５０の開位置から閉位置への戻り性能を向上させることができるとともに、供給開口１４に対する押圧力を増して接触を確実に確保することができる。即ち、コイルスプリング５１だけの場合、内圧の関係も有り、そっとかぶさるように戻るので接点部を確実に閉じにくいことがあるが、磁力による吸引時は距離の２乗に反比例して吸引力が増加するため、加速度が生じ、接点部上面の絶縁膜（油膜）を破壊し、接点部Ｔの洗浄効果も生じ、そのため、接点部Ｔを確実に閉じることができる。
【００５４】
図６には、本発明の別の実施の形態に係る流体の開閉弁装置Ｋを示している。この開閉弁装置Ｋは、上記と略同様に構成されるが、上記とはガイド部材８０の構成が異なっている。即ち、図７及び図８にも示すように、このガイド部材８０には、上記と同様に、弁体５０が嵌挿される嵌挿孔６１が貫通形成されているとともに、嵌挿孔６１で構成され、ガイド部材６０の流体空間Ｅの一端Ｅａ側の端部面６５から弁体５０の先端部５２に至る穴部６３が形成されている。そして、供給開口１４を形成する部位は、流体空間Ｅの中心軸Ｐを中心として弁体５０側に突出し、ガイド部材６０の穴部６３に挿入される大きさでこの穴部６３に臨む凸部６４として構成されている。また、ガイド部材８０の流体空間Ｅの他端Ｅｂ側において、嵌挿孔６１と弁体５０との間に流体が介在可能な他端空間８１が形成されている。更に、このガイド部材８０においては、ガイド部材８０の中間部外周に、周方向に沿い流体が通過可能な外周流路８２が形成されている。これにより、ガイド部材８０の流体空間Ｅの一端Ｅａ側に、流体空間Ｅの円筒内面１１に全周が摺接する一端側摺動部８３が設けられ、ガイド部材８０の流体空間Ｅの他端Ｅｂ側に、流体空間Ｅの円筒内面１１に全周が摺接する他端側摺動部８４が設けられる。
【００５５】
更にまた、ガイド部材８０の流体空間Ｅの一端側には、流体空間Ｅの一端Ｅａ側に流入口８５ａを有し流入口８５ａから外周流路８２に亘り流体が通過可能な一端側流路８５が形成され、流体空間Ｅの他端Ｅｂ側に、流体空間Ｅの他端Ｅｂ側に流出口８６ａを有し外周流路８２から流出口８６ａに亘り流体が通過可能な他端側流路８６が形成されている。一端側流路８５は、ガイド部材８０に形成され穴部６３から外周流路８２に至る複数（実施の形態では４つ）の一端側貫通孔８７で構成され、他端側流路８６は、ガイド部材８０に形成され外周流路８２から他端空間８１に至る複数（実施の形態では４つ）の他端側貫通孔８８で構成されている。
【００５６】
従って、この別の実施の形態に係る流体の開閉弁装置Ｋによれば、弁体５０が流体に押されて供給開口１４が開になると、流体は供給開口１４から一端側流路８５（一端側貫通孔８７）を通り外周流路８２に至るとともに、更に、外周流路８２から他端側流路８６（他端側貫通孔８８）を通り他端空間８１に流出していく。この場合、外周流路８２は、ガイド部材８０の中間部外周に周方向に沿って設けられているので、流体によって均等に押し上げられることになり、それだけ、弁体５０が浮き上がり易くなり、確実に弁体５０を供給開口１４から離間させることができるようになる。また、この場合、外周流路８２を挟んで、ガイド部材８０の一端側に一端側摺動部８３があり、ガイド部材８０の他端側に他端側摺動部８４があるので、ガイド部材８０の両端が流体空間Ｅの円筒内面１１に安定して接触することになり、そのため、ガイド部材８０のがたつきが抑制され、特に、一端側摺動部８３及び他端側摺動部８４は、全周に亘って円筒内面１１に摺接するので、より一層ガイド部材８０のがたつきが抑制され、それだけ、弁体５０が浮き上がり易くなり、確実に弁体５０を供給開口１４から離間させることができるようになり、この点でも、信頼性を向上させることができる。
【００５７】
また、この場合、穴部６３には一端側貫通孔８７の開口のある分、上記の溝流路６２にして穴部６３全部を受け面にする場合に比較して、受け面の面積は少なくなるが、それでも、供給開口１４から流入する流体は、一端側貫通孔８７の開口以外の穴部６３の内面によって跳ね返ることから、それだけ、弁体５０が浮き上がり易くなる。反面、穴部６３の受け面の受け性能は多少下がるが、一端側貫通孔８７及び他端側貫通孔８８の開口断面を比較的大きくすることができることから、流体を流通させやすくすることができ、弁体５０の戻り時の移動を円滑にすることができるという効果がある。また、貫通孔８７，８８の数や径を変更することで低粘度から高粘度の流体に対応することができるようになる。他の作用，効果は上記と同様である。
【００５８】
図９には、本発明の別の実施の形態に係る流体の開閉弁装置Ｋにおいて、弁体の変形例を示している。この弁体５０において、その先端部５２は、外側に膨出形成され弁体５０の供給開口１４の開口内縁１４ｂの閉塞時に供給開口１４の開口内縁１４ｂに当接する略半球状の凸面部５２ａを備えて構成されている。上記の凹部５６に比較して流体の受け性能は多少下がるが、永久磁石７３の吸引力が凸面部５２ａに集中するため、シール性を向上させることができる。他の構成は上記と同様であり、同様の作用，効果を奏する。
【００５９】
図１０には、本発明のまた別の実施の形態に係る流体の開閉弁装置Ｋを示している。この開閉弁装置Ｋは、上記と略同様に構成されるが、上記とは本体の構成が異なっており、上記の支持杆１０ｂからなる可動部はなく、本体１０には、流体空間Ｅが形成され、その他端Ｅａ側の側部には、流体空間Ｅに連通する吐出開口２６を有した流体の吐出口２７が形成されている。吐出口２７には、構成部材８に支持されるアダプタ１９が接続されている。
【００６０】
また、本開閉弁装置Ｋは、上記とは他方電極Ｄｂの構成が異なっている。他方電極Ｄｂは、流体空間Ｅの中心軸Ｐを軸とし、先端側に流体空間Ｅに露出する露出部９０を有し基端に雄ネジ９１を有した棒状に形成され、本体１０の他端部に設けられている。露出部９０にはコイルスプリング５１を受け、本体１０の他端側段差部９２に絶縁体の支持リング９３を介して支持される大径のリング状の鍔部９４が形成されている。そして、この他方電極Ｄｂは、絶縁体からなる包持部材９５を介して雄ネジ９１に螺合するナット９６により本体１０の他端部に取付けられている。また、他方電極Ｄｂの露出部９０の中央部９７は、後述の弁体１００が一方電極Ｄａの接点部Ｔから離間した際に、弁体１００の後端面が当接する平面状に形成されている。９８は一方電極Ｄａとしての本体１０の他端と包持部材９５との間に他方電極Ｄｂと絶縁された状態で介装された一方電極端子、９９は包持部材９５とナット９６との間に介装された他方電極端子である。
【００６１】
更に、本開閉弁装置Ｋは、上記とは弁体１００及びガイド部材１１０の構成が異なっている。即ち、図１０及び図１１に示すように、弁体１００は、ブッシュ１３の接点部Ｔに当接して供給開口１４を閉塞可能な先端部１０１を有し、流体空間Ｅの中心軸Ｐに沿う軸線を軸とした棒状に形成されている。弁体１００は、後述のガイド部材１１０の嵌挿孔１１１に嵌着される大径部１０２と、コイルスプリング５１内に挿入されるように大径部１０２より細く形成された後端部側の小径部１０３とから構成されている。大径部１０２と小径部１０３との間の段差部１０４に、コイルスプリング５１の一端が支承される。また、弁体１００の先端部１０１は、供給開口１４の開口縁部１４ａに対峙し内側に凹む凹部１０５を備えて構成されている。凹部１０５は、流体空間Ｅの中心軸Ｐに沿う軸線を軸とした円錐状に形成されている。一方、ブッシュ１３で形成された供給開口１４の開口縁部１４ａは、弁体１００による供給開口１４の閉塞時に凹部１０５内に臨み得るように、傘型に形成されている。
【００６２】
ガイド部材１１０は、供給開口１４から吐出開口２６に至る流体の流路を確保して流体空間Ｅの円筒内面１１を摺動可能に形成されている。ガイド部材１１０には、流体空間Ｅの中心軸Ｐに沿う軸線を軸とし、弁体１００が嵌挿される嵌挿孔１１１が貫通形成されている。上記と同様に、嵌挿孔１１１には弁体１００が嵌挿され、ガイド部材１１０の流体空間Ｅの一端Ｅａ側の端部面６５から弁体１００の先端部１０１に至る穴部６３が形成されている。そして、供給開口１４を形成する部位は、流体空間Ｅの中心軸Ｐを中心として弁体１００側に突出し、ガイド部材１１０の穴部６３に挿入される大きさでこの穴部６３に臨む凸部６４として構成されている。
【００６３】
また、ガイド部材１１０の中間部外周には、周方向に沿い流体が通過可能な外周流路１１２が形成されており、このガイド部材１１０の流体空間Ｅの一端Ｅａ側が流体空間Ｅの円筒内面１１に摺接する一端側摺動部１１３として構成され、ガイド部材１１０の流体空間Ｅの他端Ｅｂ側が流体空間Ｅの円筒内面１１に全周が摺接する他端側摺動部１１５として構成されている。ガイド部材１１０の一端側摺動部１１３には、一端Ｅａ側の流体空間Ｅと外周流路１１２との間を連通する連通切欠き１１６が等角度関係で３つ形成されている。また、ガイド部材１１０の外周流路１１２を形成する壁部には、外周流路１１２及び嵌挿孔１１１の間を連通する途中連通孔１１７が等角度関係で３つ形成されている。更にまた、ガイド部材１１０の一端側には、ガイド部材１１０に形成された穴部６３と外周流路１１２とを連通する一端側貫通孔１１８が上記の連通切欠き１１６に対応させて等角度関係で３つ形成されている。
【００６４】
一方、弁体１００の流体空間Ｅの他端Ｅｂ側には、他端Ｅｂ側の流体空間Ｅと外周流路１１２との間を、途中連通孔１１７を介して連通する連通溝１２０が形成されている。連通溝１２０は、弁体１００の後端部に等角度関係で３つ形成され、夫々、３つの途中連通孔１１７に対応させて設けられている。
【００６５】
そして、連通切欠き１１６が、ガイド部材１１０の流体空間Ｅの一端Ｅａ側に設けられ、流体空間Ｅの一端Ｅａ側に流入口１２１ａを有し流入口１２１ａから外周流路１１２に亘り流体が通過可能な第１の一端側流路１２１として構成され、一端側貫通孔１１８が、ガイド部材１１０の流体空間Ｅの一端Ｅａ側に設けられ、流体空間Ｅの一端Ｅａ側に流入口１２２ａを有し流入口１２２ａから外周流路１１２に亘り流体が通過可能な第２の一端側流路１２２として構成されている。また、途中連通孔１１７及び連通溝１２０が、流体空間Ｅの他端Ｅｂ側に設けられ、流体空間Ｅの他端Ｅｂ側に流出口１２３ａを有し外周流路１１２から流出口１２３ａに亘り流体が通過可能な他端側流路１２３として構成されている。
【００６６】
従って、このまた別の実施の形態に係る流体の開閉弁装置Ｋによれば、弁体１００が流体に押されて供給開口１４が開になると、流体は供給開口１４から第１の一端側流路１２１（連通切欠き１１６）を通り外周流路１１２に至り、また、第２の一端側流路１２２（一端側貫通孔１１８）を通り外周流路１１２に至るとともに、更に、外周流路１１２から他端側流路１２３（途中連通孔１１７及び連通溝１２０）を通り吐出開口２６側に流出していく。この場合、外周流路１１２は、ガイド部材１１０の中間部外周に周方向に沿って設けられているので、流体によって均等に押し上げられることになり、それだけ、弁体１００が浮き上がり易くなり、確実に弁体１００を供給開口１４から離間させることができるようになる。また、この場合、外周流路１１２を挟んで、ガイド部材１１０の一端側に一端側摺動部１１３があり、ガイド部材１１０の他端側に他端側摺動部１１５があるので、ガイド部材１１０の両端が流体空間Ｅの円筒内面１１に安定して接触することになり、そのため、ガイド部材１１０のがたつきが抑制され、それだけ、弁体１００が浮き上がり易くなり、確実に弁体１００を供給開口１４から離間させることができるようになり、この点でも、信頼性を向上させることができる。
【００６７】
また、この場合、穴部６３には一端側貫通孔１１８の開口のある分、上記の溝流路６２にして穴部６３全部を受け面にする場合に比較して、受け面の面積は少なくなるが、それでも、供給開口１４から流入する流体は、一端側貫通孔１１８の開口以外の穴部６３の内面によって跳ね返ることから、それだけ、弁体１００が浮き上がり易くなる。反面、穴部６３の受け面の受け性能は多少下がるが、一端側貫通孔１１８，途中連通孔１１７及び連通溝１２０の開口断面を比較的大きくすることができることから、流体を流通させやすくすることができ、弁体１００の戻り時の移動を円滑にすることができるという効果がある。
【００６８】
図１２には、本発明のまた別の実施の形態に係る流体の開閉弁装置Ｋにおいて、弁体１００の変形例を示している。この弁体１００おいて、その先端部１０１は、外側に膨出形成され弁体１００の供給開口１４の開口内縁１４ｂの閉塞時に供給開口１４の開口内縁１４ｂに当接する略半球状の凸面部１０７を備えて構成されている。上記の凹部１０５に比較して流体の受け性能は多少下がるが、永久磁石７３の吸引力が凸面部１０７に集中するため、シール性を向上させることができる。他の構成は上記と同様であり、同様の作用，効果を奏する。
【００６９】
図１３には、本発明の更にまた別の実施の形態に係る流体の開閉弁装置Ｋを示している。この開閉弁装置Ｋは、上記と略同様に構成されるが、上記とは本体の構成が異なっており、上記の支持杆１０ｂからなる可動部はなく、本体１０には、流体空間Ｅが形成され、その他端Ｅａ側の側部には、流体空間Ｅに連通する吐出開口２６を有した流体の吐出口２７が形成されている。吐出口２７には、構成部材８に支持されるアダプタ１９が接続されている。
【００７０】
また、本開閉弁装置Ｋは、上記とは他方電極Ｄｂの構成が異なっている。図１４にも示すように、他方電極Ｄｂは、流体空間Ｅの中心軸Ｐを軸とし、先端側に流体空間Ｅに露出する露出部９０を有し基端に雄ネジ９１を有した棒状に形成され、本体１０の他端部に設けられている。露出部９０にはコイルスプリング５１を受け、本体１０の他端側段差部９２に絶縁体の支持リング９３を介して支持される大径のリング状の鍔部９４が形成されている。そして、この他方電極Ｄｂは、絶縁体からなる包持部材９５を介して雄ネジ９１に螺合するナット９６により本体１０の他端部に取付けられている。また、他方電極Ｄｂの露出部９０の中央部９７は、流体空間Ｅの中心軸Ｐを軸とし、後述の弁体１００が一方電極Ｄａの接点部Ｔから離間した際に、弁体１００の穴（連通穴１３０）の開口をガイドする円錐状に形成されている。９８は一方電極Ｄａとしての本体１０の他端と包持部材９５との間に他方電極Ｄｂと絶縁された状態で介装された一方電極端子、９９は包持部材９５とナット９６との間に介装された他方電極端子である。
【００７１】
更に、本開閉弁装置Ｋは、上記とは弁体１００及びガイド部材１１０の構成が異なっている。即ち、図１０及び図１１に示すように、弁体１００は、ブッシュ１３の接点部Ｔに当接して供給開口１４を閉塞可能な先端部１０１を有し、流体空間Ｅの中心軸Ｐに沿う軸線を軸とした棒状に形成されている。弁体１００は、後述のガイド部材１１０の嵌挿孔１１１に嵌着される大径部１０２と、コイルスプリング５１内に挿入されるように大径部１０２より細く形成された後端部側の小径部１０３とから構成されている。大径部１０２と小径部１０３との間の段差部１０４に、コイルスプリング５１の一端が支承される。また、弁体１００の先端部１０１は、供給開口１４の開口縁部１４ａに対峙し内側に凹む凹部１０５を備えて構成されている。凹部１０５は、流体空間Ｅの中心軸Ｐに沿う軸線を軸とした円錐状に形成されている。一方、ブッシュ１３で形成された供給開口１４の開口縁部１４ａは、弁体１００による供給開口１４の閉塞時に凹部１０５内に臨み得るように、傘型に形成されている。
【００７２】
ガイド部材１１０は、供給開口１４から吐出開口２６に至る流体の流路を確保して流体空間Ｅの円筒内面１１を摺動可能に形成されている。ガイド部材１１０には、流体空間Ｅの中心軸Ｐに沿う軸線を軸とし、弁体１００が嵌挿される嵌挿孔１１１が貫通形成されている。上記と同様に、嵌挿孔１１１には弁体１００が嵌挿され、ガイド部材１１０の流体空間Ｅの一端Ｅａ側の端部面６５から弁体１００の先端部１０１に至る穴部６３が形成されている。そして、供給開口１４を形成する部位は、流体空間Ｅの中心軸Ｐを中心として弁体１００側に突出し、ガイド部材１１０の穴部６３に挿入される大きさでこの穴部６３に臨む凸部６４として構成されている。
【００７３】
ガイド部材１１０の中間部外周には、周方向に沿い流体が通過可能な外周流路１１２が形成されており、このガイド部材１１０の流体空間Ｅの一端Ｅａ側が流体空間Ｅの円筒内面１１に摺接する一端側摺動部１１３として構成され、ガイド部材１１０の流体空間Ｅの他端Ｅｂ側が流体空間Ｅの円筒内面１１に全周が摺接する他端側摺動部１１５として構成されている。ガイド部材１１０の一端側摺動部１１３には、一端Ｅａ側の流体空間Ｅと外周流路１１２との間を連通する連通切欠き１１６が等角度関係で２つ形成されている。また、ガイド部材１１０の外周流路１１２を形成する壁部には、外周流路１１２及び嵌挿孔１１１との間を連通する途中連通孔１１７が等角度関係で２つ形成されている。更にまた、ガイド部材１１０の一端側には、ガイド部材１１０に形成された穴部６３と外周流路１１２とを連通する一端側貫通孔１１８が上記の連通切欠き１１６に対応させて等角度関係で２つ形成されている。
【００７４】
一方、弁体１００の流体空間Ｅの他端Ｅｂ側には、他端Ｅｂ側の流体空間Ｅと外周流路１１２との間を、途中連通孔１１７を介して連通する連通穴１３０が形成されている。連通穴１３０は、弁体１００が一方電極Ｄａの接点部Ｔから離間した際に、他方電極Ｄｂの円錐状の露出部９０の中央部９７によりその開口がガイドされるように、流体空間Ｅの中心軸Ｐを軸として形成されている。また、弁体１００の他端側の側部には、連通穴１３０に連通する複数の分岐穴１３１が形成されている。
【００７５】
そして、連通切欠き１１６が、ガイド部材１１０の流体空間Ｅの一端Ｅａ側に設けられ、流体空間Ｅの一端Ｅａ側に流入口１２１ａを有し流入口１２１ａから外周流路１１２に亘り流体が通過可能な第１の一端側流路１２１として構成され、一端側貫通孔１１８が、ガイド部材１１０の流体空間Ｅの一端Ｅａ側に設けられ、流体空間Ｅの一端Ｅａ側に流入口１２２ａを有し流入口１２２ａから外周流路１１２に亘り流体が通過可能な第２の一端側流路１２２として構成されている。また、途中連通孔１１７，連通穴１３０及び分岐穴１３１が、流体空間Ｅの他端Ｅｂ側に設けられ、流体空間Ｅの他端Ｅｂ側に流出口１３３ａ，１３３ｂを有し外周流路１１２から流出口１３３ａ，１３３ｂに亘り流体が通過可能な他端側流路１３３として構成されている。
【００７６】
従って、この更にまた別の実施の形態に係る流体の開閉弁装置Ｋによれば、弁体１００が流体に押されて供給開口１４が開になると、流体は供給開口１４から第１の一端側流路１２１（連通切欠き１１６）を通り外周流路１１２に至り、また、第２の一端側流路１２２（一端側貫通孔１１８）を通り外周流路１１２に至るとともに、更に、外周流路１１２から他端側流路１３３（途中連通孔１１７，連通穴１３０及び分岐穴１３１）を通り吐出開口２６側に流出していく。この場合、外周流路１１２は、ガイド部材１１０の中間部外周に周方向に沿って設けられているので、流体によって均等に押し上げられることになり、それだけ、弁体１００が浮き上がり易くなり、確実に弁体１００を供給開口１４から離間させることができるようになる。また、この場合、外周流路１１２を挟んで、ガイド部材１１０の一端側に一端側摺動部１１３があり、ガイド部材１１０の他端側に他端側摺動部１１５があるので、ガイド部材１１０の両端が流体空間Ｅの円筒内面１１に安定して接触することになり、そのため、ガイド部材１１０のがたつきが抑制され、それだけ、弁体１００が浮き上がり易くなり、確実に弁体１００を供給開口１４から離間させることができるようになり、この点でも、信頼性を向上させることができる。
【００７７】
また、この場合、穴部６３には一端側貫通孔１１８の開口のある分、上記の溝流路６２にして穴部６３全部を受け面にする場合に比較して、受け面の面積は少なくなるが、それでも、供給開口１４から流入する流体は、一端側貫通孔１１８の開口以外の穴部６３の内面によって跳ね返ることから、それだけ、弁体１００が浮き上がり易くなる。反面、穴部６３の受け面の受け性能は多少下がるが、一端側貫通孔１１８，途中連通孔１１７，連通穴１３０及び分岐穴１３１の開口断面を比較的大きくすることができることから、流体を流通させやすくすることができ、弁体１００の戻り時の移動を円滑にすることができるという効果がある。
【００７８】
また、弁体１００が一方電極Ｄａの接点部Ｔから離間した際には、弁体１００の穴（連通穴１３０）が円錐状の露出部９０の中央部９７に係合してガイドされる。そのため、仮にガイド部材１１０に多少の傾きが生じようとしても、求心的に姿勢が矯正されるので、傾くことがなく、そのため、ガイド部材１１０及び弁体１００の進退動を円滑にすることができる。また、露出部９０を円錐状にしたので、流体を流れ易くする効果も奏する。その結果、特に、高粘度の流体に有効になる。
【００７９】
図１５には、本発明の更にまた別の実施の形態に係る流体の開閉弁装置Ｋにおいて、弁体１００の変形例を示している。この弁体１００おいて、その先端部１０１は、外側に膨出形成され弁体１００の供給開口１４の開口内縁１４ｂの閉塞時に供給開口１４の開口内縁１４ｂに当接する略半球状の凸面部１０７を備えて構成されている。上記の凹部１０５に比較して流体の受け性能は多少下がるが、永久磁石７３の吸引力が凸面部１０７に集中するため、シール性を向上させることができる。他の構成は上記と同様であり、同様の作用，効果を奏する。
【００８０】
尚、上記実施の形態においては、本体１０に熱電対取付部３１を設けて熱電対３０を取付ける構成にしたが、必ずしもこれに限定されるものではなく、熱電対取付部３１がなくても良く、適宜変更して差支えない。また、電極Ｄａ，Ｄｂの設け方は上述した構成に限定されるものではなく、適宜変更して良いことは勿論である。
【００８１】
また、実施の形態では、本発明を、流体の流動を検知する装置に適用したが、必ずしもこれに限定されるものではなく、チェック弁等どのような形態の開閉弁装置に適用しても良いことは勿論である。当業者は、本発明の新規な教示及び効果から実質的に離れることなく、これら例示である実施の形態に多くの変更を加えることが容易であり、これらの多くの変更は本発明の範囲に含まれる。
【符号の説明】
【００８２】
Ｋ  開閉弁装置
Ｓ  潤滑システム
１  潤滑ポンプ装置
２  定量バルブ
３  潤滑箇所
４  給油管路
５  検知器
８  構成部材
１０  本体
１０ａ  主体
１０ｂ  支持杆
Ｅ  流体空間
Ｅａ  一端
Ｅｂ  他端
Ｐ  中心軸
１１  円筒内面
１２  端部部材
１３  ブッシュ
１４  供給開口
１４ａ  開口縁部
１４ｂ  開口内縁
１５  供給口
１７  接続部材
１８  フィルタ
１９  アダプタ
２０  貫通孔
Ｑ  軸線
２６  吐出開口
２７  吐出口
２８  出口開口
３０  熱電対
３１  熱電対取付部
Ｔ  接点部
Ｄａ  一方電極
Ｄｂ  他方電極
Ｒ  軸線
４０  露出部
４１  挿通孔
４２  包持部材
４３  止めリング
４４  ナット
４６  他方電極端子
４７  一方電極端子
５０  弁体
５１  コイルスプリング
５２  先端部
５２ａ  凸面部
５３  大径部
５４  小径部
５５  段差部
５６  凹部
６０  ガイド部材
６１  嵌挿孔
６２  溝流路
６２ａ  流入口
６２ｂ  流出口
６３  穴部
６４  凸部
６５  端部面
７０  吸引手段
７１  第１部材
７２  第２部材
７３  永久磁石
８０  ガイド部材
８１  他端空間
８２  外周流路
８３  一端側摺動部
８４  他端側摺動部
８５  一端側流路（一端側貫通孔８７）
８５ａ  流入口
８６  他端側流路（他端側貫通孔８８）
８６ａ  流出口
８７  一端側貫通孔
８８  他端側貫通孔
９０  露出部
９５  包持部材
９６  ナット
９７  中央部
９８  一方電極端子
９９  他方電極端子
１００  弁体
１０１  先端部
１０５  凹部
１０７  凸面部
１１０  ガイド部材
１１１  嵌挿孔
１１２  外周流路
１１３  一端側摺動部
１１５  他端側摺動部
１１６  連通切欠き
１１７  途中連通孔
１１８  一端側貫通孔
１２０  連通溝
１２１  第１の一端側流路（連通切欠き１１６）
１２１ａ  流入口
１２２  第２の一端側流路（一端側貫通孔１１８）
１２２ａ  流入口
１２３  他端側流路（途中連通孔１１７及び連通溝１２０）
１２３ａ  流出口
１３０  連通穴
１３１  分岐穴
１３３  他端側流路（途中連通孔１１７，連通穴１３０及び分岐穴１３１）
１３３ａ，１３３ｂ  流出口
【図１】
2019074199.tif 000003
【図２】
2019074199.tif 000004
【図３】
2019074199.tif 000005
【図４】
2019074199.tif 000006
【図５】
2019074199.tif 000007
【図６】
2019074199.tif 000008
【図７】
2019074199.tif 000009
【図８】
2019074199.tif 000010
【図９】
2019074199.tif 000011
【図１０】
2019074199.tif 000012
【図１１】
2019074199.tif 000013
【図１２】
2019074199.tif 000014
【図１３】
2019074199.tif 000015
【図１４】
2019074199.tif 000016
【図１５】
2019074199.tif 000017
【図１６】
2019074199.tif 000018